(57)【要約】      （修正有）【課題】多機能を備えた椅子を提供する。【解決手段】椅子２は、座面２１１と、背もたれ２１５と、背もたれを座面に対する傾斜角度を調節する調節部材２５と、背もたれの座面と離れている一端に設置された隔離部３４と、を備える。前記隔離部内には、眼部按摩器と、音楽再生器と、が設置されている。【選択図】図１
2014000400.tif 000002
【特許請求の範囲】
【請求項１】
座面と、背もたれと、前記背もたれを前記座面に対する傾斜角度に調節する調節部材と、を備える椅子において、
前記椅子は、前記背もたれの前記座面と離れている一端に設置された隔離部を更に備え、前記隔離部内には、眼部按摩器と、音楽再生器と、が設置されていることを特徴とする椅子。
【請求項２】
前記隔離部の開口には感知器が設置され、前記感知器は、ユーザーの頭部に前記隔離部が被せられると、前記眼部按摩器は作動して按摩し、同時に前記音楽再生器が音楽を再生しているかどうかを感知することを特徴とする請求項１に記載の椅子。
【請求項３】
前記椅子は、取り付け部材をさらに備え、前記取り付け部材は、支持棒と、隔離部と、を備え、前記支持棒は、前記隔離部を支持することを特徴とする請求項１又は２に記載の椅子。
【請求項４】
前記支持棒は、第一棒と、第二棒と、支持部と、を備え、前記第一棒の一端は、前記背もたれに回転可能に接続され、前記第一棒の別の一端は、前記第二棒と回転可能に接続され、前記第一棒と前記背もたれとを接続する方向は、前記第一棒と前記第二棒とを接続する方向と直交し、前記第二棒の一端は、前記第一棒と回転可能に接続され、前記第二棒の別の一端は、前記支持部と接続され、前記隔離部は、前記支持部に設置されることを特徴とする請求項３に記載の椅子。
【請求項５】
前記椅子は、震動器を更に備え、前記震動器は、前記座面内に設置され、且つ電子タイマーを備え、前記座面があらかじめ規定された上限値より大きい重量で押圧された際に、前記電子タイマーは自動的に押圧時間を記録し、この時、押圧された時間が、あらかじめ規定された押圧時間を超えた場合、震動器は周期的に座面を震動させることを特徴とする請求項１〜４のいずれか１項に記載の椅子。
【請求項６】
前記椅子は、背中按摩器を更に備え、前記背中按摩器は、前記背もたれにおけるユーザーの背中と接触する側に設置されることを特徴とする請求項１〜５のいずれか１項に記載の椅子。
【請求項７】
前記震動器が前記座面を震動させる際、前記背中按摩器に駆動信号を送信して、前記背中按摩器を作動させて按摩を行うことを特徴とする請求項６に記載の椅子。
【発明の詳細な説明】
【技術分野】
【０００１】
本発明は、椅子に関し、特に多機能を備えた椅子に関するものである。
【背景技術】
【０００２】
椅子にも様々な様式があり、座面の高さが固定されている椅子、座面の高さが調節可能な椅子、背もたれを備え、該背もたれの角度が調節可能である椅子などがある。しかし、このような椅子は、ただ支持機能しか備わっていないので、椅子の機能は単一であり、ユーザーの様々な要求を満たすことができない。
【発明の概要】
【発明が解決しようとする課題】
【０００３】
以上の問題点に鑑みて、本発明は、多機能を備えた椅子を提供することを目的とする。
【課題を解決するための手段】
【０００４】
上記の課題を解決するために、本発明の椅子は、座面と、背もたれと、背もたれを座面に対する傾斜角度を調節する調節部材と、背もたれの座面と離れている一端に設置された隔離部と、を備える。前記隔離部内には、眼部按摩器と、音楽再生器と、が設置されている。
【発明の効果】
【０００５】
本発明の椅子は、従来の椅子と比べると、ユーザーの肩部及び腰部を按摩する機能と、音楽再生機能と、ユーザーの眼部を按摩する機能と、を備える。これにより、椅子を利用するユーザーをリラックスさせながら、ユーザーの様々な要求を満たすことができる。
【図面の簡単な説明】
【０００６】
【図１】本発明に係る椅子の斜視図である。
【図２】図１に示した椅子の取り付け部材の一部の拡大図である。
【発明を実施するための形態】
【０００７】
以下、図面に基づいて、本発明に係る椅子について詳細に説明する。
【０００８】
図１及び図２に示すように、本発明に係る椅子２は、支持部材２１、調節部材２５、固定部材２６、及び複数の機能部材２２を備える。固定部材２６は、地面、床等に設置されて、椅子２全体を支持する。多機能部材２２は、支持部材２１上に設置される。調節部材２５の一端は、固定部材２６上に垂直に設置され、別の一端は、支持部材２１に固定されて支持部材２１を支持し、且つ固定部材２６に対して上下に伸縮する。これにより、支持部材２１及び多機能部材２２と固定部材２６との間の距離を調節することができる。
【０００９】
支持部材２１は、座面２１１と、座面２１１の相対する両側から垂直に延在して形成された肘掛２１３と、２つの肘掛２１３の間に設置された背もたれ２１５と、を備える。背もたれ２１５は、座面２１１に回転可能に設置される。これにより、座面２１１に対する傾斜角度を調節することができる。
【００１０】
多機能部材２２は、震動器２２１と、背中按摩器２２２と、眼部按摩器２２４と、音楽再生器２２６と、を備える。震動器２２１は、座面２１１内に設置され、電子タイマー（図示せず）を備え、座面２１１があらかじめ規定された上限値より大きい重量で押圧された際に、前記電子タイマーは自動的に該押圧された時間を記録する。この時、押圧された時間が、あらかじめ規定された押圧時間を超えた場合、震動器２２１は周期的に座面２１１を震動させて、重量が前記あらかじめ規定された上限値より超えていることを椅子２に座っているユーザーに知らせる。
【００１１】
背中按摩器２２２は、背もたれ２１５のユーザーの背中と接触する側に設置され、あらかじめ設定した条件によって按摩機能を実行する。このあらかじめ設定した条件とは、ユーザーが背中按摩器２２２と接触するか或いは背中按摩器２２２に衝撃を与えることである。震動器２２１が座面２１１を震動させる際、背中按摩器２２２に駆動信号を送信して、背中按摩器２２を作動して按摩を開始させる。
【００１２】
椅子２は、取り付け部材３０を更に備え、眼部按摩器２２４は、取り付け部材３０に設置される。取り付け部材３０は、支持棒３５及び隔離部３４を備える。支持棒３５は、隔離部３４を支持する。眼部按摩器２２４及び音楽再生器２２６は、隔離部３４内に設置され、隔離部３４は外部の雑音からユーザーを隔離する。支持棒３５は、第一棒３１と、第二棒３２と、支持部３３と、を備える。第一棒３１の一端を、背もたれ２１５に回転可能に接続することで、取り付け部材３０を背もたれ２１５に回転可能に接続することができる。また、第一棒３１の別の一端は、第二棒３２に回転可能に接続される。本実施形態において、第一棒３１と背もたれ２１５とが接続された方向は、第一棒３１と第二棒３２とが接続された方向と直交している。第二棒３２の一端は第一棒３１と回転可能に接続され、第二棒３２の別の一端は支持部３３と接続され、支持部３３は隔離部３４を支持する。具体的には、支持部３３はリング状を呈す。また、隔離部３４はその一側に開口が設けられ、且つ半球形状を呈し、隔離部３４の前記開口の端部は支持部３３に収容され、且つ支持部３３の内壁と接続する。隔離部３４は、透明材料（例えば、プラスチック材料）、或いは不透明材料からなり、ユーザーは、この隔離部３４を被り、外部の雑音から隔離されることでリラックスすることができる。この隔離部３４の半円球の構造は、ユーザーの頭部をその内側へ入りやすくさせる。また、ユーザーの頭部が、隔離部３４の内側へ入る際に、空気が流通するよう、隔離部３４の半球形状外壁に複数の通気孔（図示せず）を設けても良い。これにより、該複数の通気孔によって空気の流れを速めることができる。眼部按摩器２２４及び音楽再生器２２６は、隔離部３４内壁にそれぞれ設置される。本実施例において、音楽再生器２２６は２つであり、眼部按摩器２２４は、２つの音楽再生器２２６の間に位置する。隔離部３４の前記開口には感知器３４０が設置され、ユーザーの頭部に隔離部３４が被せられた際に、眼部按摩器２２４が作動し、同時に音楽再生器２２６が音楽を再生しているかどうかを感知する。
【００１３】
本発明の椅子２を使用する際、先ず椅子２に給電する。次いで、ユーザーは椅子２に座った後、手動で取り付け部材３０を調節する。つまり、第一棒３１を背もたれ２１５に対して回転させ、第二棒３２を第一棒３１に対して回転させて、ユーザーに適する位置に調節する。次いでユーザーが隔離部３４を被ると、眼部按摩器２２４はユーザーの眼部の按摩を開始し、２つの音楽再生器２２６は音楽の再生を開始する。この時、ユーザーの耳は２つの音楽再生器２２６の間に位置する。ユーザーは、音楽を聴いてリラックスしながら、椅子２の多機能部材２２を作動させることによって、肩部、腰部を按摩することができる。
【００１４】
多機能を備えた椅子２は、さらに、ユーザーが自身の休憩時間を前記電子タイマーによって設定した場合、該休憩時間が終了すると、ユーザーに知らせる機能を備える。
【００１５】
本発明の多機能を備えた椅子２は、ユーザーの肩部及び腰部を按摩する機能と、音楽再生機能と、ユーザーの眼部を按摩する機能と、を備える。これにより、椅子２を利用するユーザーをリラックスさせながら、ユーザーの様々な要求を満たすことができる。
【００１６】
以上、本発明の好適な実施形態について詳細に説明したが、本発明はこれらの実施形態に限定されるものではなく、本発明の範囲内で種々の変形又は修正が可能であり、そのような変形又は修正も又、本発明の特許請求の範囲内に含まれるものであることは、言うまでもない。
【符号の説明】
【００１７】
２  椅子
２１  支持部材
２５  調節部材
２６  固定部材
２２  多機能部材
２１１  座面
２１３  肘掛
２１５  背もたれ
２２１  震動器
２２２  背中按摩器
２２４  眼部按摩器
２２６  音楽再生器
３０  取り付け部材
３１  第一棒
３２  第二棒
３３  支持部
３４  隔離部
３５  支持棒
３４０  感知器
【図１】
2014000400.tif 000003
【図２】
2014000400.tif 000004